(57)【特許請求の範囲】
【請求項１】
上部に開口を有するとともに内部に液状の薬剤を収容する容器と、吸上部および揮散部を有し、少なくとも前記吸上部が薬剤に浸漬するように前記容器内に収納される芯材と、前記芯材を保持する芯材保持枠とを備え、前記芯材保持枠により前記揮散部を前記容器外部に引き上げることで、前記吸上部で吸い上げた薬剤が前記揮散部を介して前記容器外部に揮散するように構成された薬剤揮散器において、
前記芯材保持枠は、少なくとも一対の側枠部材を備え、
前記芯材の少なくとも前記揮散部が前記各側枠部材により挟持されており、
前記各側枠部材は、上端部を支点として互いに反対方向に弾性的に揺動することにより前記揮散部の着脱が可能であり、前記各側枠部材の上端部には、前記各側枠部材を揺動させる開閉部材が設けられていることを特徴とする薬剤揮散器。
【請求項２】
前記容器の内周面には、内方に突き出る一対の突出部が設けられており、前記各突出部の先端面が前記各側枠部材の外側面に接触していることを特徴とする請求項１に記載の薬剤揮散器。
【請求項３】
前記各側枠部材の下端部には、前記容器内の段部に係合して前記芯材保持枠を抜止め状態とする係合突起が設けられていることを特徴とする請求項１または２に記載の薬剤揮散器。
【請求項４】
前記各側枠部材には、前記突出部の上面と係合可能な突部が縦方向に複数設けられていることを特徴とする請求項２に記載の薬剤揮散器。
【請求項５】
前記係合突起の下縁を、外側から内側へ低く傾斜させて挿入ガイド部を形成したことを特徴とする請求項３に記載の薬剤揮散器。
【請求項６】
前記容器の上部開口を開閉可能に閉塞するキャップに、前記芯材保持枠の上端部が回転可能に連結されていることを特徴とする請求項１〜５のいずれかに記載の薬剤揮散器。
【発明の詳細な説明】
【技術分野】
【０００１】
本発明は、芳香剤、消臭剤などの種々の揮散性を有する液状の薬剤を容器内部に収容するとともに、薬剤中に薬剤の吸上・揮散可能な芯材を浸漬した薬剤揮散器に関する。
【背景技術】
【０００２】
室内や自動車などの空間の臭気による不快感をなくし、快適な空間を生み出すために、芳香剤を自然に揮散させる薬剤揮散器が広く使用されている。この薬剤揮散器には、ゲル状、固形状、液状など、種々の薬剤が用いられており、その中で液状の薬剤を用いる薬剤揮散器は、一般に薬剤を収容する容器と、容器内に収容された薬剤を吸上・揮散可能な芯材とにより構成されている。芯材は、一部（吸上部）が薬剤中に浸漬されるとともに、他部（揮散部）が容器上部の開口部から外部に露出可能になっており、毛細管現象により、吸上部で吸い上げた薬剤を揮散部にて空気中に揮散させている。
【０００３】
上記した液状の薬剤を用いる薬剤揮散器としては、特許文献１にその一例が開示されている。特許文献１に記載の薬剤揮散器は、図１４および図１５に示すように、液状の薬剤を収容する容器１００と、容器１００内に収納される帯状の芯材１０２と、芯材１０２を保持する芯材保持枠１０１とによって構成されている。芯材１０２は、芯材保持枠１０１を構成する一対の側枠部材１０３，１０３に設けられた一対の垂直板１０４，１０４と、各側枠部材１０３の下端部に各側枠部材１０３を連結するように設けられた横桟１０５との間に巻き付けられており、芯材１０２の一端部を、横桟１０５と各側枠部材１０３の下端部に設けられた一対の受棒１０６，１０６との間に通して下方に垂らすことで、容器１００の底部まで到達している。芯材保持枠１０１は、容器１００の開口部１００Ａを閉塞可能なキャップ１０８に連結されている。そして、キャップ１０８を容器１００から外し、キャップ１０８を介して芯材保持枠１０１を引き上げることにより、芯材上部の揮散部１０２Ａが容器１００の外部に露出する。従って、揮散部１０２Ａの露出の程度によって、芯材下部の吸上部１０２Ｂによって吸い上げた薬剤の揮散状態を調整可能になっている。また、各側枠部材１０３の下端部には、外側に向けて突き出る突起１０７が設けられている。芯材保持枠１０１を引き上げる際、各突起１０７が容器１００の肩部１００Ｂに引っ掛かって係合することで、芯材保持枠１０１が容器１００から抜け出るのが防止されている。
【先行技術文献】
【特許文献】
【０００４】
【特許文献１】登録実用新案公報第３０２０４５９号
【発明の概要】
【発明が解決しようとする課題】
【０００５】
この液状の薬剤を用いた薬剤揮散容器は、容器１００内の薬剤が少量になった場合には、薬剤を詰め替えることにより、再利用が可能である。ただし、再利用の際には、薬剤の揮散を終えた芯材１０２は、薬剤の揮散に伴い、界面活性剤などの不揮発成分により目詰まりを起こして薬剤の吸上・揮散機能が低下しているため、芯材１０２についても新しいものに取り替える必要がある。
【０００６】
しかしながら、上記した特許文献１に記載の薬剤揮散容器では、帯状の芯材１０２が芯材保持枠１０１に巻き付けられているために、芯材１０２を芯材保持枠１０１から取り外すのに手間がかかり、また、新たな帯状の芯材１０２を芯材保持枠１０１に取り付けるのにも手間がかかるという課題がある。ここで、取り替え用として、既に帯状の芯材１０２が芯材保持枠１０１に取り付けられているものが用意されていれば、上記した課題は解決するが、この場合には、芯材保持枠１０１も新たなものを用意する必要があるため、コストが高くつき経済的でないという問題がある。
【０００７】
本発明は、上記した問題に着目してなされたもので、芯材保持枠に対する芯材の取り替えを容易に行うことができる薬剤揮散器を提供することを目的とする。
【課題を解決するための手段】
【０００８】
本発明の上記目的は、上部に開口を有するとともに内部に液状の薬剤を収容する容器と、吸上部および揮散部を有し、少なくとも前記吸上部が薬剤に浸漬するように前記容器内に収納される芯材と、前記芯材を保持する芯材保持枠とを備え、前記芯材保持枠により前記揮散部を前記容器外部に引き上げることで、前記吸上部で吸い上げた薬剤を前記揮散部を介して前記容器外部に揮散させるように構成された薬剤揮散器において、前記芯材保持枠は、少なくとも一対の側枠部材を備え、前記芯材の少なくとも前記揮散部が前記各側枠部材により挟持されており、前記各側枠部材は、上端部を支点として互いに反対方向に弾性的に揺動することにより前記揮散部の着脱が可能であり、前記各側枠部材の上端部には、前記各側枠部材を揺動させる開閉部材が設けられていることを特徴とする薬剤揮散器により達成される。
【００１２】
本発明のさらに好ましい実施態様においては、前記容器の内周面には、内方に突き出る一対の突出部が設けられており、前記各突出部の先端面が前記各側枠部材の外側面に接触していることを特徴としている。
【００１３】
本発明のさらに好ましい実施態様においては、前記各側枠部材の下端部には、前記容器内の段部に係合して前記芯材保持枠を抜止め状態とする係合突起が設けられていることを特徴としている。
【００１４】
本発明のさらに好ましい実施態様においては、前記各側枠部材には、前記突出部の上面と係合可能な突部が縦方向に複数設けられていることを特徴としている。
【００１５】
本発明のさらに好ましい実施態様においては、前記係合突起の下縁側を、外側から内側へ低く傾斜させて挿入ガイド部を形成したことを特徴としている。
【００１６】
本発明のさらに好ましい実施態様においては、前記容器の上部開口を開閉可能に閉塞するキャップに、前記芯材保持枠の上端部が回転可能に連結されていることを特徴としている。
【発明の効果】
【００１７】
本発明の薬剤揮散器によると、芯材保持枠に対する芯材の取り替え作業を容易に行うことができる。これにより、液状の薬剤と芯材のみを交換するため、低コストで再利用可能な薬剤揮散器を提供することができる。
【図面の簡単な説明】
【００１８】
【図１】本発明の一実施形態に係る薬剤揮散器の使用時の状態を示す側面図であり、容器およびキャップを断面にして示している。
【図２】本発明の一実施形態に係る薬剤揮散器の使用前の状態を示す側面図であり、容器およびキャップを断面にして示している。
【図３】図２の薬剤揮散器の正面から見た断面図である。
【図４】芯材保持枠の側面図である。
【図５】芯材保持枠の正面図である。
【図６】芯材保持枠の断面図である。
【図７】（ａ）は芯材の側面図であり、（ｂ）は芯材の正面図である。
【図８】他の実施形態の芯材保持枠の左側面図である。
【図９】他の実施形態の芯材保持枠の右側面図である。
【図１０】他の実施形態の芯材保持枠の正面図である。
【図１１】他の実施形態の芯材保持枠の左側面図である。
【図１２】他の実施形態の芯材保持枠の右側面図である。
【図１３】他の実施形態の芯材保持枠の正面図である。
【図１４】従来例の薬剤揮散器の正面図であり、芯材は省略して容器およびキャップを断面にして示している。
【図１５】図１４の薬剤揮散器の側面図であり、容器およびキャップは省略して芯材および芯材保持枠を断面にして示している。
【発明を実施するための形態】
【００１９】
以下、本発明の実施形態について、添付図面を参照して説明する。図面中の同一または同種の部分については、同じ番号を付して説明を一部省略する。
【００２０】
図１〜図３は、本発明に係る薬剤揮散器の一実施形態の構成をそれぞれ示している。
【００２１】
本実施形態の薬剤揮散器１は、上部に開口を有するとともに、内部に液状の薬剤を収容可能な容器２と、容器２内に収納されて液状の薬剤を吸い上げて揮散させることが可能な芯材３と、芯材３を保持可能な芯材保持枠４とを備えている。容器２の上部開口は、キャップ５により開閉可能に塞がれている。キャップ５には、芯材保持枠４が回転可能に連結されており、使用者はキャップ５を持つことで芯材保持枠４を容器２から引き上げることができる。芯材保持枠４の引き上げに伴い、芯材３の揮散部３１が、入口２１から容器２の外部に引き上げられて露出する。このとき、芯材３の吸上部３０が薬剤中に浸漬されているため、芯材３の吸上部３０で吸い上げた薬剤が芯材３の揮散部３１を介して容器２の外部に揮散する。
【００２２】
容器２は、図１〜図３に示すように、上面に前記開口を有する円筒状の首部２０と、首部２０に連続する中空の胴部２２とにより構成されている。胴部２２は、首部２０よりも大径に形成された肩部２３を備えている。この容器２としては、例えば、透明のプラスチック製ブロー成形品が挙げられるが、ガラス製品の他、インジェクション成形品などであっても構わない。
【００２３】
首部２０の上部外周面には、雄ネジ部２４が設けられている。雄ネジ部２４がキャップ５の内周面に設けられた雌ネジ部５０と螺合することにより、キャップ５が容器２の首部２０に固定される。
【００２４】
首部２０の下部内周面には、内方に向けて突き出る一対の突出部２５，２５が一体に設けられている。各突出部２５は対向する位置に設けられ、それぞれが芯材３の厚み方向に突き出て芯材３の揮散部３１の最も面積の大きな前面および後面と対向するようになっている。これにより、２つの突出部２５により、首部２０内に芯材３の揮散部３１の外形に沿う平面視が略長方形状の開口が形成されている。該開口は、芯材３を保持した芯材保持枠４を引き上げる時、あるいは、容器２内に挿入する時の入口２１となっている。
【００２５】
各突出部２５は、芯材保持枠４を引き上げた時に、芯材保持枠４を起立状態に保持する。つまり、芯材保持枠４を引き上げた時、各突出部２５の先端面が、芯材３を保持した芯材保持枠４（後述する各側枠部材４０の外側面）の一部に接触して芯材保持枠４を挟持することにより、芯材保持枠４が起立状態で保持される。また、首部２０の内周面より突き出る各突出部２５により芯材保持枠４が挟持されていることで、芯材保持枠４と首部２０の内周面との間に空間が生じる。そのため、芯材保持枠４は、各突出部２５を支点に少なくとも前後方向（芯材３の厚み方向）に傾倒することが可能になっている。
各突出部２５の下面は、内側に向けて高く傾斜する傾斜面になっている。また、各突出部２５の上面は、内側に向けて低く傾斜する傾斜面になっており、各突出部２５は、全体として先細り状の形状を有している。各突出部２５の上面および下面の先端面と連続する部分は、それぞれ滑らかな曲面になっている。
【００２６】
なお、本実施形態では、各突出部２５は、容器２の首部２０に一体に設けられているが、必ずしもこの構成に限られるものではない。例えば、各突出部２５を容器２の首部２０の内周面に対して中栓のような形で取り外し可能に設けるようにしてもよい。
【００２７】
キャップ５の内底面には、円筒状のボス５１が内底面から突き出るように設けられている。ボス５１の先端部は均等に分割されて、複数（例えば、３つ）の係合爪５２が設けられており、各係合爪５２の外面には段部５３が設けられている。このボス５１は、後述する芯材保持枠４の連結部４２に設けられた嵌合孔４３に嵌合可能であり、各係合爪５２を内側に弾性変形させてボス５１を嵌合孔４３に嵌合させた後、各係合爪５２の段部５３を連結部４２の下面に引っ掛けることで、芯材保持枠４が軸方向に抜けることなくキャップ５に対して回転可能に連結される。
【００２８】
芯材保持枠４は、図４〜図６に示すように、例えば、プラスチックなどの可撓性を有する材料により成形されており、下方に向けて延びる左右一対の板状の側枠部材４０，４０と、各側枠部材４０の上端部同士を連結する水平な板状の上枠部材４１とを備えている。上枠部材４１の中央部には、連結部４２が一体に設けられており、連結部４２の上面の中央部に嵌合孔４３が設けられている。各側枠部材４０の上端部は、それぞれ幅広に形成されており、各側枠部材４０の上端部には、各側枠部材４０を開閉させるためのＬ字状の開閉部材４４，４４が一体に設けられている。
【００２９】
各側枠部材４０が下方に垂下した状態では、各側枠部材４０の間の距離は、芯材３の揮散部３１の厚みよりわずかに小さく設定されている。これにより、揮散部３１が各側枠部材４０により挟持され、吸上部３０が各側枠部材４０から吊り下げられるようにして、芯材３は芯材保持枠４に保持される。各側枠部材４０は、上端部４０Ａを支点として弾性的に揺動可能となっており、例えば、キャップ５（図１に示す）の上面に親指を当てるとともに、Ｌ字状の各開閉部材４４の底面４４Ａにそれぞれ人差し指と中指とを当て、各開閉部材４４をキャップ５の方向（図４に示す矢印Ｐの方向）に向けて押圧することで、各側枠部材４０の下端部４０Ｂが互いに離間（開動作）する。これにより、各側枠部材４０の間に、芯材３の揮散部３１を挿入することが可能になる。そして、各開閉部材４４に対する押圧を解除すると、各側枠部材４０は、弾性変形による復元力によって、元の下方に垂下する状態に復帰（閉動作）して、芯材３の揮散部３１を挟持する。また、芯材３の使用済み後は、同様に、各開閉部材４４をキャップ５の方向（図４に示す矢印Ｐの方向）に向けて押圧して、各側枠部材４０を開動作させることで、芯材３に対する各側枠部材４０による挟持が解除される。その結果、使用済みの芯材３を芯材保持枠４から容易に取り外すことができる。
【００３０】
なお、本実施形態においては、芯材３の揮散部３１は、その全体が芯材保持枠４により保持されている。芯材保持枠４が容器２内に挿入されている時には、各側枠部材４０は容器２の各突出部２５の間に挟まれているので、各開閉部材４４による各側枠部材４０の開閉動作が規制されている。そのため、芯材３は、芯材保持枠４を容器２の入口２１から引き抜かない限り、芯材保持枠４から取り外すことができないようになっている。
【００３１】
各側枠部材４０の下端部４０Ｂは、それぞれ幅広に形成されており、幅方向における一方の側縁部が内側に向けて折り曲げられて、第１の屈曲部４５が設けられている。第１の屈曲部４５の下端部から所定の領域は、芯材３の揮散部３１の下面の形状に沿うように「く」の字状に折り曲げられており、揮散部３１の下面の一部分を支える支持面４６を構成している。この第１の屈曲部４５により、各側枠部材４０により挟持された芯材３の一方の側面が支持されているとともに、支持面４６により、芯材３が下方にずれ落ちるのが規制されている。また、各側枠部材４０の上部は、その一部分が、それぞれ幅広に形成されており、幅方向における一方の側縁部が内側に向けて折り曲げられて、第２の屈曲部４７が設けられている。この第２の屈曲部４７により、各側枠部材４０により挟持された芯材３の他方の側面が支持されている。
【００３２】
各側枠部材４０の下端部４０Ｂには、その外側面の中央部に、それぞれ板面より突き出る外向きの係合突起４８，４８が一体に設けられている。各係合突起４８は、容器２内部の段部となる前記突出部２５の方向に突き出るように設けられている。そのため、薬剤揮散器１の使用時に、芯材保持枠４を引き上げた際、各係合突起４８が容器２の各突出部２５の下面に引っ掛かって係合する。これにより、芯材保持枠４は抜け止め状態となり、容器２の入口２１から芯材保持枠４が抜け出るのが防止されている。
【００３３】
各係合突起４８の下縁には、外側から内側へ向けて低く傾斜するように挿入ガイド部４８Ａが設けられている。薬剤の詰め替えや芯材３の取り替えのために芯材保持枠４を容器２の入口２１から一旦引き抜いた後、再び、芯材保持枠４を入口２１から容器２内に挿入する際に、挿入ガイド部４８Ａの存在により各係合突起４８が内側にスムーズに撓むことで、各係合突起４８は容易に各突出部２５を乗り越える。その結果、芯材保持枠４を容器２内に容易に挿入することができる。
【００３４】
各側枠部材４０の外側面には、縦方向に等間隔で複数（図示例では、３つ）の突部４９が一体に設けられている。この各突部４９は、芯材保持枠４を引き上げた時に、容器２の首部２０の内周面に設けられた各突出部２５の上面と係合するため、芯材保持枠４が容器２０内に不用意に落ち込まないようになっている。これにより、芯材保持枠４を所定の高さ位置にて保持することができる。
【００３５】
芯材３は、図７（ａ），（ｂ）に示すように、ともに略長方体状の吸上部３０と揮散部３１とを備え、吸上部３０および揮散部３１が連続して一体化された形態を有している。この芯材３は、主に液状の薬剤の吸上・揮散効果に優れた繊維層（図示せず）で全体が構成されている。前記繊維層としては、植物繊維やパルプなどの天然繊維、レーヨン、ポリエステル、ＰＥＴ（ポリエチレンテレフタレート）、ＰＰ（ポリプロピレン）などの合成繊維、またはそれらの混合繊維などの繊維質材料で構成することができる。特に、エアレイド法、ニードルパンチ法、スパンボンド法、スパンレース法などによって製造される不織布が好適であるが、その他、織物、編物などの層であってもよい。なお、前記繊維層の表面に、例えば、薄いレーヨンで構成された被覆層を設けてもよい。
【００３６】
本実施形態では、吸上部３０は、揮散部３１よりもその幅が狭くなるように形成されている。これにより、芯材保持枠４が容器２内に収納されている時には、吸上部３０を折りたたまれた状態に、一方で、芯材保持枠４が引き上げられた時には、吸上部３０を伸びた状態に、それぞれ容易に変形させることができる（図１および図２参照）。吸上部３０は、芯材保持枠４が引き上げられた時に、容器２の内底面に達することができる長さに設定されており、薬剤を最後まで吸い上げさせることができるようになっている。また、芯材保持枠４が引き上げられた時に、薬剤が空気中に揮散しやすくするために、揮散部３１は幅広に形成されている。なお、本実施形態では、吸上部３０の幅を揮散部３１の幅よりも狭くしているが、吸上部３０と揮散部３１との幅が同じ大きさであってもよい。
【００３７】
次に、上記した構成の薬剤揮散器１の使用方法について説明する。
【００３８】
上記した構成の薬剤揮散器１においては、容器２の首部２０にキャップ５が固定された状態では、図２に示すように、芯材３は吸上部３０および揮散部３１が液状の薬剤中に浸漬している。一方、図１に示すように、キャップ５と容器２の首部２０との固定を外してキャップ５を容器２から引き上げると、これに伴い、芯材保持枠４が容器２の入口２１から引き上げられて、芯材３の揮散部３１が容器２の外部に露出する状態となる。これにより、揮散部３１を介して吸上部３０により吸い上げられた薬剤が空気中に揮散される。このとき、芯材保持枠４の各側枠部材４０の外側面には、複数の突部４９が設けられており、この各突部４９が、芯材保持枠４を引き上げた際に、容器２の首部２０の内周面に設けられた各突出部２５の上面と係合する。これにより、芯材保持枠４が不用意に容器２内に落ち込まず、芯材保持枠４を所望の引き上げ高さに保持することができる。従って、使用者は、外部に露出させる揮散部３１の表面積を変えることができ、薬剤の揮散量を調節することが可能となる。
【００３９】
また、芯材保持枠４を引き上げた時には、各側枠部材４０の係合突起４８が容器２の突出部２５の下面に引っ掛かって係合するので、使用者が誤って芯材保持枠４を強く引き上げ過ぎた場合でも、芯材保持枠４が容器２の入口２１から不用意に引き抜かれるのが防止されている。
【００４０】
一方、薬剤の揮散に伴い、容器２内の薬剤が少量になったり、芯材３に界面活性剤などの不揮発成分が目詰まりすることで薬剤の揮散性能が低下したりした場合には、芯材保持枠４を各係合突起４８が各突出部２５と係合するまで引き上げた後、これを前方または後方（図１において矢印Ｘ１または矢印Ｘ２で示す芯材３の厚み方向）に傾倒させることで、芯材保持枠４を容器２の入口２１から容易に引き抜くことができる。つまり、本実施形態では、芯材保持枠４の各係合突起４８が、芯材保持枠４を傾倒させることが可能な芯材３の厚み方向に突き出るように設けられているため、芯材保持枠４を傾けた際に、傾けた側の係合突起４８は内側下方に変位して突出部２５との係合が外れる。ここで、この芯材保持枠４を傾倒させた状態（つまり、一方の係合突起４８と突出部２５との係合が外れた状態）で芯材保持枠４をさらに引き上げると、傾けた側と反対側の容器２の突出部２５と係合する係合突起４８だけが、突出部２５からの反作用の力による内向きの押圧力を受ける。これにより、側枠部材４０が弾性変形によって撓むので、傾けた側と反対側の係合突起４８は内側に変位し、突出部２５との係合が外れて突出部２５を容易に乗り越える。その後、傾けた側のもう一方の係合突起４８についても、芯材保持枠４の引き上げにより、突出部２５を乗り越えさせることで、芯材保持枠４を容器２の入口２１から容易に引き抜くことが可能になっている。
【００４１】
このように、本実施形態では、芯材保持枠４を前後方向のいずれかに傾倒させながら芯材保持枠４を引き上げるという簡易な操作で、芯材保持枠４を容器２の入口２１から容易に引き抜くことができるので、薬剤の詰め替えや芯材３の取り替え作業を手軽に行うことができる。また、容器２内に新たな薬剤を補充したり、芯材保持枠４の芯材３を新たな芯材に取り替えたりすることにより、容器２および芯材保持枠４を再利用することが可能である。
【００４２】
また、芯材保持枠４の芯材３を新たな芯材に取り替えたい場合には、芯材保持枠４を容器２から引き抜いた後、各開閉部材４４を、例えば人差し指と中指とを使ってキャップ５の方向に押圧する。これにより、各側枠部材４０が開動作して、芯材３を挟持する状態が解除される。その結果、使用者は、使用済みの芯材３を、薬剤に触れることなく、芯材保持枠４から容易に取り外すことができ、芯材保持枠４に対する芯材３の取り替え作業も簡単に行うことができる。
【００４３】
以上、本発明の一実施形態について説明したが、本発明に係る薬剤揮散器の具体的な態様は上記した実施形態に限定されない。例えば、上記した実施形態では、芯材保持枠４の側枠部材４０は、芯材３の揮散部３１の最も面積の大きな前面および後面と対向するように、それぞれ１つずつ配備されているが、２つ以上の複数配備されていてもよく、また、揮散部３１の前面側と後面側とで配備される側枠部材４０の数が異なっていてもよい。また、上記した実施形態では、芯材３の揮散部３１の前面および後面に側枠部材４０を接触させて芯材３を挟持しているが、芯材３の揮散部３１の両側面に側枠部材４０を接触させて芯材３を挟持するように構成してもよく、さらに、芯材３の揮散部３１の前面、後面および両側面のそれぞれと対向するように側枠部材４０を配備し、揮散部３１の上記した４面に側枠部材４０を接触させて芯材３を挟持するように構成してもよい。この場合、揮散部３１の前面および後面に配備された側枠部材４０が一対となって、開閉部材４４により開閉動作するとともに、揮散部３１の両側面に配備された側枠部材４０が一対となって、別の開閉部材４４により開閉動作するように構成される。
【００４４】
また、図８〜図１０は、芯材保持枠の他の実施形態を示している。図８〜図１０の芯材保持枠６は、対向する左右一対の側枠部材６０，６０と、底枠部材６１と、各側枠部材６０と直角をなす後枠部材６２とにより構成され、かご状に形成されている。底枠部材６１上には、各側枠部材６０および後枠部材６２で囲まれた収容空間Ａが形成されている。この収容空間Ａは、前面Ｆが開放されているとともに、その幅（各側枠部材６０の間の距離）が芯材３の揮散部３１の厚みより大きく設定されており、この収容空間Ａに芯材３の揮散部３１が収容されるようになっている。
【００４５】
各側枠部材６０は、図示例では、それぞれ一体形成により連結した、左右各位置の縦枠６３と複数の横枠６４とで構成されている。各縦枠６３は互いに平行に設けられており、また、各横枠６４も互いに平行に設けられている。底枠部材６１は、各側枠部材６０の対向する縦枠６３の下端部同士を連結する２つの下枠６５により構成されており、２つの下枠６５の間には、挿入口６６が形成されている。この挿入口６６に、芯材３の吸上部３０が挿入されて、吸上部３０が下方に垂れ下がるようになっているとともに、各下枠６５により、収容空間Ａに収容された芯材３の揮散部３１が下方より支持されている。後枠部材６２は、各側枠部材６０の対向する横枠６４の一方の端部同士を連結する複数の側枠６７により構成されており、各側枠６７により、収容空間Ａに収容された芯材３の揮散部３１の一方の側面が支持されている。
【００４６】
各側枠部材６０の上端の横枠６４同士は、水平な板状の上枠部材６８により連結されている。上枠部材６８の中央部には、連結部６９が一体に設けられている。連結部６９の上面の中央部には嵌合孔（図示せず）が設けられており、この嵌合孔に、キャップ５の内底面に形成されたボス５１を嵌合させることで、芯材保持枠６が軸方向に抜けることなくキャップ５に対して回転可能に連結される。
【００４７】
また、各側枠部材６０の各縦枠６３の下端部には、それぞれ外向きに突き出る係合突起７０が一体に設けられている。各係合突起７０は、容器２内部の段部となる突出部２５の方向に突き出るように設けられるので、薬剤揮散器１の使用時に、芯材保持枠６を引き上げた際、各係合突起７０が容器２の各突出部２５の下面に引っ掛かって係合する。これにより、芯材保持枠６の抜け止めが図られている。また、各係合突起７０の下縁は、外側から内側へ向けて低く傾斜するように形成されて、挿入ガイド部７０Ａを構成している。なお、図中、７１は、芯材保持枠６を引き上げた時、容器２の首部２０の内周面に設けられた各突出部２５の上面と係合可能な突部である。
【００４８】
図８〜図１０に示す芯材保持枠６においては、保持する芯材３を新たな芯材に取り替えたい場合には、芯材保持枠６を、上記した実施形態と同様に、容器２から引き抜いた後、芯材保持枠６を傾けることで、収容空間Ａの開放された前面Ｆから芯材３が抜け落ちるので、使用済みの芯材３を芯材保持枠６から容易に取り外すことができる。よって、図８〜図１０に示す芯材保持枠６によっても、使用者は、芯材３を簡単に取り替えることができる。
【００４９】
なお、この実施形態の芯材保持枠６においても、芯材３の揮散部３１は、その全体が芯材保持枠６により保持されており、また、芯材保持枠６が容器２内に挿入されている時には、各側枠部材６０が容器２の各突出部２５の間に挟まれている。そのため、芯材保持枠６を容器２の入口２１から引き抜かない限り、芯材３を芯材保持枠６から取り外すことができない。
【００５０】
さらに、図１１〜図１３は、芯材保持枠の他の実施形態を示している。図１１〜図１３の芯材保持枠８は、対向する左右一対の側枠部材８０，８０と、各側枠部材８０と直角をなす前後の前枠部材８１および後枠部材８２とにより構成され、囲い状に形成されている。各側枠部材８０、前枠部材８１および後枠部材８２で囲まれた収容空間Ｂに、芯材３の揮散部３１が収容されるようになっており、収容空間Ｂの底面Ｕは開放されている。また、収容空間Ｂの幅（各側枠部材８０の間の距離）は芯材３の揮散部３１の厚みよりわずかに小さく設定されており、芯材３の揮散部３１は、圧縮されることで、各側枠部材８０により挟持されている。
【００５１】
各側枠部材８０は、図示例では、それぞれ一体形成により連結した、１つの縦枠８３と、互いに平行な複数の横枠８４とで構成されている。前枠部材８１および後枠部材８２は、各側枠部材８０の対向する横枠８４の端部同士を連結する複数の側枠８５により構成されており、各側枠８５により、収容空間Ｂに収容された芯材３の揮散部３１の両側面が支持されている。
【００５２】
各側枠部材８０の上端の横枠８４同士は、水平な板状の上枠部材８６により連結されており、上枠部材８６の中央部には、連結部８７が一体に設けられている。連結部８７の上面の中央部には嵌合孔（図示せず）が設けられており、この嵌合孔に、キャップ５の内底面に設けられたボス５１を嵌合させることで、芯材保持枠８が軸方向に抜けることなくキャップ５に対して回転可能に連結される。
【００５３】
また、各側枠部材８０の縦枠８３の下端部には、それぞれ外向きに突き出る係合突起８８が一体に設けられている。各係合突起８８は、容器２内部の段部となる突出部２５の方向に突き出るように設けられるので、薬剤揮散器１の使用時に、芯材保持枠８を引き上げた際、各係合突起８８が容器２の各突出部２５の下面に引っ掛かって係合する。これにより、芯材保持枠８の抜け止めが図られている。また、各係合突起８８の下縁は、外側から内側へ向けて低く傾斜するように形成されて、挿入ガイド部８８Ａを構成している。なお、図中、８９は、芯材保持枠８を引き上げた時、容器２の首部２０の内周面に設けられた各突出部２５の上面と係合可能な突部である。
【００５４】
図１１〜図１３に示す芯材保持枠８においては、保持する芯材３を新たな芯材に取り替えたい場合には、芯材保持枠８を、上記した実施形態と同様に、容器２から引き抜いた後、収容空間Ｂの開放された底面Ｕから芯材３を抜き出すことで、使用済みの芯材３を芯材保持枠８から容易に取り外すことができる。よって、図１１〜図１３に示す芯材保持枠８によっても、芯材３の取り替え作業を簡単に行うことができる。なお、図示例では、各側枠部材８０の両端に前枠部材８１および後枠部材８２が設けられているが、いずれか一方の端部にのみ前枠部材８１もしくは後枠部材８２を設け、他方の端部は、開放させてもよい。これにより、芯材３の揮散部３１を、収容空間Ｂの底面Ｕまたは前面（もしくは後面）から抜き出したり、または、収容したりすることが可能になる。
【００５５】
なお、この実施形態の芯材保持枠８においても、芯材３の揮散部３１は、その全体が芯材保持枠８により保持されており、また、芯材保持枠８が容器２内に挿入されている時には、各側枠部材８０が容器２の各突出部２５の間に挟まれている。そのため、芯材保持枠８を容器２の入口２１から引き抜かない限り、芯材３を芯材保持枠８から取り外すことができない。
【符号の説明】
【００５６】
１    薬剤揮散器
２    容器
３    芯材
４    芯材保持枠
５    キャップ
２５  突出部
３０  吸上部
３１  揮散部
４０，６０，８０  側枠部材
４９，７１，８９  突部
４４  開閉部材
４８，７０，８８  係合突起
４８Ａ，７０Ａ，８８Ａ  挿入ガイド部
６１  底枠部材
【図１】
0005818539.tif 000002
【図２】
0005818539.tif 000003
【図３】
0005818539.tif 000004
【図４】
0005818539.tif 000005
【図５】
0005818539.tif 000006
【図６】
0005818539.tif 000007
【図７】
0005818539.tif 000008
【図８】
0005818539.tif 000009
【図９】
0005818539.tif 000010
【図１０】
0005818539.tif 000011
【図１１】
0005818539.tif 000012
【図１２】
0005818539.tif 000013
【図１３】
0005818539.tif 000014
【図１４】
0005818539.tif 000015
【図１５】
0005818539.tif 000016